【手続補正書】
【提出日】平成18年6月26日(2006.6.26)
【手続補正１】
【補正対象書類名】明細書
【補正対象項目名】発明の名称
【補正方法】変更
【補正の内容】
【発明の名称】弾球遊技機
【手続補正２】
【補正対象書類名】明細書
【補正対象項目名】特許請求の範囲
【補正方法】変更
【補正の内容】
【特許請求の範囲】
【請求項１】  本体枠と、この本体枠の内側空間に固定される遊技盤と、この遊技盤の前方に配置され、本体枠に回動自在に固定される前面扉と、遊技盤の下方に配置され、遊技盤に向けて遊技球を略垂直上方に一発ずつ発射する発射装置と、この発射装置から発射された遊技球を遊技盤の遊技領域に導く遊技盤遊技球通路とを備え、発射装置を本体枠の左右いずれか一方側に偏在して配置し、遊技盤遊技球通路を、発射装置が配置されている本体枠の左右いずれか一方側の略上下方向に形成するとともに、この遊技盤遊技球通路の通路幅を、その発射装置側が遊技領域側に対して幅広となるように形成した弾球遊技機であって、
発射装置と遊技盤との間に設けられて通路幅が遊技盤遊技球通路の発射装置側よりも幅狭に形成され、発射された遊技球を遊技盤遊技球通路に導く本体遊技球通路と、発射装置と遊技盤との間に設けられ、発射された遊技球のうちで遊技領域に到達しないファール球を回収する複数のファール球回収口と、ファール球回収口からファール球を貸球および賞球を貯留する受け皿に導くファール球通路とを含み、複数のファール球回収口を本体遊技球通路の左右両側に隣接させて形成したことを特徴とする弾球遊技機。
【請求項２】  ファール球通路には、ファール球、貸球および賞球を貯留する球貯留タンクが設けられていることを特徴とする請求項１記載の弾球遊技機。
【請求項３】  遊技盤遊技球通路または本体遊技球通路には、ファール球が発射装置に戻ることを防止するファール球戻り防止部材が設けられている請求項１又は２記載の弾球遊技機。
【請求項４】  複数のファール球回収口のうち少なくとも一つには、ファール球を受ける面部に複数条のリブを形成し、ファール球回収時にリブにファール球が当たるようにしてファール球から受ける衝撃に耐えるようにした請求項１、２、又は３記載の弾球遊技機。
【手続補正３】
【補正対象書類名】明細書
【補正対象項目名】０００６
【補正方法】変更
【補正の内容】
【０００６】
【課題を解決するための手段】
本発明においては上記課題を達成するため、本体枠と、この本体枠の内側空間に固定される遊技盤と、この遊技盤の前方に配置され、本体枠に回動自在に固定される前面扉と、遊技盤の下方に配置され、遊技盤に向けて遊技球を略垂直上方に一発ずつ発射する発射装置と、この発射装置から発射された遊技球を遊技盤の遊技領域に導く遊技盤遊技球通路とを備え、発射装置を本体枠の左右いずれか一方側に偏在して配置し、遊技盤遊技球通路を、発射装置が配置されている本体枠の左右いずれか一方側の略上下方向に形成するとともに、この遊技盤遊技球通路の通路幅を、その発射装置側が遊技領域側に対して幅広となるように形成したものであって、
発射装置と遊技盤との間に設けられて通路幅が遊技盤遊技球通路の発射装置側よりも幅狭に形成され、発射された遊技球を遊技盤遊技球通路に導く本体遊技球通路と、発射装置と遊技盤との間に設けられ、発射された遊技球のうちで遊技領域に到達しないファール球を回収する複数のファール球回収口と、ファール球回収口からファール球を貸球および賞球を貯留する受け皿に導くファール球通路とを含み、複数のファール球回収口を本体遊技球通路の左右両側に隣接させて形成したことを特徴としている。
【手続補正４】
【補正対象書類名】明細書
【補正対象項目名】０００７
【補正方法】変更
【補正の内容】
【０００７】
本発明によれば、発射装置から発射された遊技球は、発射装置が配置されている本体枠の左右方向のいずれか一方側の略上下方向に形成された遊技盤遊技球通路に沿って遊技領域に打出され、また、発射装置から発射され遊技領域に到達しないファール球は、遊技盤遊技球通路の通路幅が遊技領域側に対して発射装置側が幅広に形成されるとともに、本体遊技球通路の通路幅が遊技盤遊技球通路の発射装置側よりも幅狭に形成されているため、発射装置から発射された経路と異なった経路で落下して発射装置と遊技盤との間に形成されているファール球回収口に回収される。これにより、遊技盤遊技球通路は、発射装置が配置されている本体枠の左右いずれか一方側の略上下方向に形成されるため弾球遊技機を左右方向に横断することがなくなり、弾球遊技機の上下方向の空いたスペースに容量の大きい球貯留タンクを設けることができる。
また、ファール球が発射装置から発射された遊技球の経路と異なる経路で落下して本体遊技球通路の隣接箇所に形成されたファール球回収口に回収される。これにより、ファール球が再び遊技盤遊技球通路を通って発射装置内に入る確率を下げることができ、ファール球を回収する効率を向上させることができる。
さらに、ファール球回収口で回収されたファール球は、ファール球通路を通って受け皿に導かれる。これにより、ファール球を再び発射装置で発射することができる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
なお、ファール球通路には、ファール球、貸球および賞球を貯留する球貯留タンクが設けられることが好ましい。
【手続補正１０】
【補正対象書類名】明細書
【補正対象項目名】００１３
【補正方法】変更
【補正の内容】
【００１３】
本発明によれば、ファール球回収口で回収されたファール球は、球貯留タンクに貯留される。これによって、受け皿が遊技球で満杯であるときにファール球を貯留することができる。
【手続補正１１】
【補正対象書類名】明細書
【補正対象項目名】００１４
【補正方法】変更
【補正の内容】
【００１４】
また、遊技盤遊技球通路または本体遊技球通路には、ファール球が発射装置に戻ることを防止するファール球戻り防止部材が設けられていることが好ましい。
【手続補正１２】
【補正対象書類名】明細書
【補正対象項目名】００１５
【補正方法】変更
【補正の内容】
【００１５】
本発明によれば、ファール球がファール球戻り防止部材によって本体遊技球通路を通って再び発射装置に入ることが防止される。これにより、ファール球による発射装置の詰まりを防止することができる。
【手続補正１３】
【補正対象書類名】明細書
【補正対象項目名】００１６
【補正方法】変更
【補正の内容】
【００１６】
また、複数のファール球回収口のうち少なくとも一つには、ファール球を受ける面部に複数条のリブを形成し、ファール球回収時にリブにファール球が当たるようにしてファール球から受ける衝撃に耐えるようにすることが好ましい。
【手続補正１４】
【補正対象書類名】明細書
【補正対象項目名】００１７
【補正方法】変更
【補正の内容】
【００１７】
本発明によれば、ファール球回収時にファール球から受ける衝撃に耐えるようにファール球回収口が補強される。これによって、ファール球回収口の強度を向上されファール球の落下によるファール球回収口の破損を防止することができる。
【手続補正１５】
【補正対象書類名】明細書
【補正対象項目名】００１８
【補正方法】削除
【補正の内容】
【手続補正１６】
【補正対象書類名】明細書
【補正対象項目名】００３８
【補正方法】変更
【補正の内容】
【００３８】
【発明の効果】
以上のように本発明によれば、発射装置から発射された遊技球は、発射装置が配置されている本体枠の左右方向のいずれか一方側の略上下方向に形成された遊技盤遊技球通路に沿って遊技領域に打出され、また、発射装置から発射され遊技領域に到達しないファール球は、遊技盤遊技球通路の通路幅が遊技領域側に対して発射装置側が幅広に形成されるとともに、本体遊技球通路の通路幅が遊技盤遊技球通路の発射装置側よりも幅狭に形成されているため、発射装置から発射された経路と異なった経路で落下して発射装置と遊技盤との間に形成されているファール球回収口に回収される。これによって、遊技盤遊技球通路は、発射装置が配置されている本体枠の左右いずれか一方側の略上下方向に形成されるため弾球遊技機を左右方向に横断することがなくなり、弾球遊技機の上下方向の空いたスペースに容量の大きい球貯留タンクを設けることができる効果がある。
また、ファール球が発射装置から発射された遊技球の経路と異なる経路で落下して本体遊技球通路の隣接箇所に形成されたファール球回収口に回収される。これによって、ファール球が再び遊技盤遊技球通路を通って発射装置内に入る確率を下げることができファール球を回収する効率を向上させることができる効果がある。
また、ファール球回収口で回収されたファール球は、ファール球通路を通って受け皿に導かれる。これにより、ファール球を再び発射装置で発射することができる効果がある。
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】変更
【補正の内容】
【００４１】
また、本発明によれば、ファール球回収口で回収されたファール球は、球貯留タンクに貯留される。これによって、受け皿が遊技球で満杯であるときにファール球を貯留することができる効果がある。
【手続補正２０】
【補正対象書類名】明細書
【補正対象項目名】００４２
【補正方法】変更
【補正の内容】
【００４２】
さらに、本発明によれば、ファール球がファール球戻り防止部材によって本体遊技球通路を通って再び発射装置に入ることが防止される。これによって、ファール球による発射装置の詰まりを防止することができる効果がある。
【手続補正２１】
【補正対象書類名】明細書
【補正対象項目名】００４３
【補正方法】変更
【補正の内容】
【００４３】
さらにまた、本発明によれば、ファール球回収時にファール球から受ける衝撃に耐えるようにファール球回収口が補強される。これによって、ファール球回収口の強度を向上されファール球の落下によるファール球回収口の破損を防止することができる効果がある。